(57)【特許請求の範囲】
【請求項１】
冷房用水の噴霧水に帯電させて冷房対象空間に噴霧する帯電噴霧ヘッドに於いて、
前記冷房用水を供給する配管に接続されるヘッド本体と、
前記ヘッド本体に接続され、前記冷房用水を外部の噴射空間へ噴射することで水粒子に変換して噴霧する噴霧ノズルと、
前記噴射空間に配置した誘導電極部と、
前記ヘッド本体の内部に配置され、前記噴霧ノズルに供給される前記冷却用水に接触する円筒状の水側電極部と、
前記冷房用水が供給された場合に開口し、前記冷房用水の供給が停止された場合は閉鎖するスリットを形成したゴム製の弁部材を前記噴霧ノズルの流入側に配置し、前記冷房用水が供給されない場合に前記噴射ノズルからの漏水を防止する漏水防止弁と、
を備え、
前記誘導電極部と水側電極部との間に帯電電圧を加えることにより生じる外部電界を、前記噴射空間で水粒子への変換過程にある冷却用水に印加して、前記噴射した水粒子を帯電させることを特徴とする帯電噴霧ヘッド。
【請求項２】
冷房用水の噴霧水に帯電させて冷房対象空間に噴霧する帯電噴霧ヘッドに於いて、
前記冷房用水を供給する配管に接続され、前記冷房用水を外部の噴射空間へ噴射することで水粒子に変換して噴霧する噴霧ノズルと、
前記噴射空間に配置した誘導電極部と、
前記配管の前記噴霧ノズルを接続する側に導電性の材料を使用して配置され、前記噴霧ノズルに供給される前記冷却用水に接触する水側電極部と、
前記冷房用水が供給された場合に開口し、前記冷房用水の供給が停止された場合は閉鎖するスリットを形成したゴム製の弁部材を前記噴霧ノズルの内部に配置し、前記冷房用水が供給されない場合に前記噴射ノズルからの漏水を防止する漏水防止弁と、
を備え、
前記誘導電極部と水側電極部との間に帯電電圧を加えることにより生じる外部電界を、前記噴射空間で水粒子への変換過程にある冷却用水に印加して、前記噴射した水粒子を帯電させることを特徴とする帯電噴霧ヘッド。
【請求項３】
請求項１又は２記載の帯電噴霧ヘッドに於いて、前記帯電噴霧ヘッドの誘導電極部は、導電性を有する金属、導電性を有する樹脂又は導電性を有するゴムのいずれか又は複合体であって、リング形状、円筒形状、垂直平板形状、平行板形状、線形状又は金網状のいずれかの形状であることを特徴とする帯電噴霧ヘッド。
【請求項４】
請求項１又は２記載の帯電噴霧ヘッドに於いて、前記水側電極部の電圧をゼロボルトとして且つアースに落とし、前記誘導電極部に前記電圧印加部からの所定の帯電電圧を印加することを特徴とする帯電噴霧ヘッド。
【請求項５】
請求項４記載の帯電噴霧ヘッドに於いて、前記誘導電極部に０．３キロボルトから２０キロボルトの間にある直流電圧を印加することを特徴とする帯電噴霧ヘッド。
【請求項６】
請求項１又は２記載の帯電噴霧ヘッドに於いて、前記噴霧ノズルは、平均粒子径が１００μｍ以下の噴霧水を噴霧することを特徴とする帯電噴霧ヘッド。
【発明の詳細な説明】
【技術分野】
【０００１】
本発明は、人が通過するオープンスペースなどの冷房対象空間に噴霧水を噴霧して清涼感を与える帯電噴霧ヘッドに関する。
【背景技術】
【０００２】
従来、人が通過するオープンスペースや各種用途空間に適用できる冷房設備として、噴霧ヘッドに冷却用水を加圧供給して微噴霧水を噴射し、微噴霧水の気化熱により空間を冷却する噴霧冷房設備が知られている。
【０００３】
このような噴霧冷房設備にあっては、噴霧ヘッドから噴射された微噴霧水が空間中で蒸発する際に蒸発潜熱を奪うことで空気の温度を下げ、多少の微噴霧水が直接人の皮膚に当って皮膚上で瞬間的に蒸発して気化熱を奪うことで清涼感を与えることが想定されている。
【先行技術文献】
【特許文献】
【０００４】
【特許文献１】特開２００６−１４９２９４号公報
【特許文献２】特開２００６−１７７５７７号公報
【特許文献３】特開２００５−２１４５７８号公報
【特許文献４】特開２００２−５３８９１０号公報
【特許文献５】特開２００２−２０３６５７号公報
【特許文献６】特開２００５−０２８３２５号公報
【特許文献７】特開２００６−３０５３２１号公報
【特許文献８】特開２００５−１８７０６９号公報
【発明の開示】
【発明が解決しようとする課題】
【０００５】
しかしながら、このような従来の噴霧冷却設備にあっては、水蒸気のモル重量は空気のモル重量の約６０％と小さいことから、噴霧ヘッドから噴射した微噴霧水が蒸発して温度が下がった空気は、その蒸発した水蒸気の浮力によって微噴霧水混じりとなることで見かけ上の空気の比重は増加するものの、上方へと散逸する傾向があり、更に、空気の温度が下がると周囲から高い温度の空気が流れ込み、その結果、冷房効果はそれほど得られないという問題がある。
【０００６】
本発明は、噴霧水の噴霧により十分な清涼感を与えることを可能とする帯電噴霧ヘッドを提供することを目的とする。
【課題を解決するための手段】
【０００７】
本発明は、冷房用水の噴霧水に帯電させて冷房対象空間に噴霧する帯電噴霧ヘッドに於いて、
冷房用水を供給する配管に接続されるヘッド本体と、
ヘッド本体に接続され、冷房用水を外部の噴射空間へ噴射することで水粒子に変換して噴霧する噴霧ノズルと、
噴射空間に配置した誘導電極部と、
ヘッド本体の内部に配置され、噴霧ノズルに供給される冷却用水に接触する円筒状の水側電極部と、
冷房用水が供給された場合に開口し、冷房用水の供給が停止された場合は閉鎖するスリットを形成したゴム製の弁部材を噴霧ノズルの流入側に配置し、冷房用水が供給されない場合に噴射ノズルからの漏水を防止する漏水防止弁と、
を備え、
誘導電極部と水側電極部との間に帯電電圧を加えることにより生じる外部電界を、噴射空間で水粒子への変換過程にある冷却用水に印加して、噴射した水粒子を帯電させることを特徴とする帯電噴霧ヘッド。
【０００８】
また、本発明は、冷房用水の噴霧水に帯電させて冷房対象空間に噴霧する帯電噴霧ヘッドに於いて、
冷房用水を供給する配管に接続され、冷房用水を外部の噴射空間へ噴射することで水粒子に変換して噴霧する噴霧ノズルと、
噴射空間に配置した誘導電極部と、
配管の噴霧ノズルを接続する側に導電性の材料を使用して配置され、噴霧ノズルに供給される冷却用水に接触する水側電極部と、
冷房用水が供給された場合に開口し、冷房用水の供給が停止された場合は閉鎖するスリットを形成したゴム製の弁部材を噴霧ノズルの内部に配置し、冷房用水が供給されない場合に噴射ノズルからの漏水を防止する漏水防止弁と、
を備え、
誘導電極部と水側電極部との間に帯電電圧を加えることにより生じる外部電界を、噴射空間で水粒子への変換過程にある冷却用水に印加して、噴射した水粒子を帯電させることを特徴とする。
【０００９】
帯電噴霧ヘッドの誘導電極部は、導電性を有する金属、導電性を有する樹脂又は導電性を有するゴムのいずれか又は複合体であって、リング形状、円筒形状、垂直平板形状、平行板形状、線形状又は金網状のいずれかの形状である。
【００１０】
帯電噴霧ヘッドは、水側電極部の電圧をゼロボルトとして且つアースに落とし、誘導電極部に所定の帯電電圧を印加する。誘導電極部に０．３キロボルトから２０キロボルトの間にある直流電圧を印加する。噴霧ノズルは平均粒子径が１００μｍ以下の噴霧水を噴霧する。
【発明の効果】
【００１１】
本発明によれば、帯電噴霧ヘッドからの噴霧水に帯電させることにより、クーロン力により人の皮膚に対する付着量が増加し、清涼感を高めることができる。
【００１２】
また、空間に噴霧された水粒子はそれぞれ帯電しているために水粒子間に斥力が働き、衝突会合して成長落下する確率が小さく、空間中に滞留する水粒子が多くなり、噴霧水混じりの見かけ上の空気の比重が帯電させないときより増加し、上方へと散逸する傾向を抑制することで、冷房効果が増加する。
【００１３】
更に、帯電噴霧ヘッドからの噴霧水をマイナス帯電させることで、いわゆる自然の滝で発生していると言われているレナード効果と同様の状態を作り出すことができ、清涼感を増加させることができる。
【図面の簡単な説明】
【００１４】
【図１】本発明による噴霧冷房設備の実施形態を示した説明図
【図２】図１の噴霧冷房エリアＡを取り出して示した説明図
【図３】リング状誘導電極部を用いた帯電噴霧ヘッドの実施形態を示した説明図
【図４】円筒状誘導電極部を用いた帯電噴霧ヘッドの他の実施形態を示した説明図
【図５】金網状誘導電極部を用いた帯電噴霧ヘッドの他の実施形態を示した説明図
【図６】平行板誘導電極部を用いた帯電噴霧ヘッドの他の実施形態を示した説明図
【図７】針状誘導電極部を用いた帯電噴霧ヘッドの他の実施形態を示した説明図
【発明を実施するための形態】
【００１５】
図１は本発明による噴霧冷房設備の実施形態を示した説明図である。図１において、
噴霧冷房エリアＡ及びＢは人が通過するオープンスペース等の冷房対象空間であり、噴霧冷房エリアＡ及びＢの上方位置、例えば人の通行に妨げとならない高さの位置に、本実施形態による帯電噴霧ヘッド１０が設置されている。
【００１６】
帯電噴霧ヘッド１０に対しては、冷房用水供給設備として設置されたポンプユニット１２の吐出側から手動弁（仕切弁）１４及び遠隔開閉弁２２ｃを介して配管１６が接続され、配管１６は分岐後に遠隔開閉弁２２ａ，２２ｂを介して、噴霧冷房エリアＡ，Ｂのそれぞれに設置した帯電噴霧ヘッド１０に接続している。
【００１７】
噴霧冷房エリアＡ，Ｂのそれぞれには環境センサ１８が設置され、システム制御盤２０に信号線により接続されている。環境センサ１８は噴霧冷房エリアＡ，Ｂにおける気温、湿度、降雨、風速などを計測してシステム制御盤２０に送信する。
【００１８】
システム制御盤２０には更に遠隔開閉弁２２ａ〜２２ｄが信号線により接続され、遠隔的に開閉制御できる。システム制御盤２０は噴霧冷房設備の停止中は、遠隔開閉弁２２ａ〜２２ｃを閉鎖状態とし、遠隔制御弁２２ｄを開放としている。
【００１９】
またシステム制御盤２０は噴霧冷房の起動時には、ドレン側の遠隔制御弁２２ｄを閉制御すると共に、遠隔制御弁２２ａ〜２２ｃを開制御し、同時にポンプユニット１２を起動して帯電噴霧ヘッド１０に冷房用水を加圧供給する。
【００２０】
図２は図１の噴霧冷房エリアＡを取り出して示した説明図である。噴霧冷房エリアＡの高所には帯電噴霧ヘッド１０が設置されている。帯電噴霧ヘッド１０に対しては、図１に示したポンプユニット１２からの配管１６が遠隔開閉弁２２ａを介して接続されている。
【００２１】
また帯電噴霧ヘッド１０の上部には電圧印加部１５が設置されており、後の説明で明らかにするように、帯電噴霧ヘッド１０に所定の電圧を印加して、帯電噴霧ヘッド１０から噴射する噴霧水を帯電させて噴霧できるようにしている。
【００２２】
図３は図１及び図２に示した帯電噴霧ヘッド１０の実施形態であり、この実施形態にあってはリング状誘導電極部を用いたことを特徴とする。
【００２３】
図３（Ａ）において、帯電噴霧ヘッド１０はポンプユニット１６からの配管に接続した立下り配管３４の先端にヘッド本体３６をねじ込み固定している。ヘッド本体３６の先端内側には、絶縁部材４１を介して、円筒状の水側電極部４０が組み込まれている。
【００２４】
水側電極部４０に対しては、図２に示したように、上部に設置している電圧印加部１５よりアースケーブル５０が引き出され、ヘッド本体３６の内側に固定部材４３を介して設置した水側電極部４０に接続されている。このアースケーブル５０による接続で、水側電極部４０は印加電圧を０ボルトとし、且つアース側に落とすようにしている。
【００２５】
水側電極部４０の下側には噴霧ノズル３８が設けられる。噴霧ノズル３８は、水側電極部４０側の内部に設けたノズル回転子３８ａと、先端側に設けたノズルヘッド３８ｂで構成される。
【００２６】
噴霧ノズル３８は、図１のポンプユニット１２から加圧供給された冷房用水の供給を立下り配管３４から受け、ノズル本体３８ａを通過してノズルヘッド３８ｂから外部に噴射する際に、冷房用水を微細な水粒子に変換して噴霧する。本実施形態において、噴霧ノズル３８からの噴霧水は、平均粒子径が１００μｍ以下の噴霧水とする。
【００２７】
噴霧ノズル３８に対しては、固定部材４３を介して、絶縁性材料を用いたカバー４２がビス止めにより固定される。カバー４２はほぼ円筒状の部材であり、下側の開口部にストッパリング４６のネジ止めによりリング状誘導電極部４４を組み込んでいる。
【００２８】
リング状誘導電極部４４は、図３（Ｂ）に取り出して示すように、リング状本体の中央に噴霧ノズル３８からの噴射粒子を通過させる開口４４ａを形成している。
【００２９】
カバー４２の下部に配置したリング状誘導電極部４４に対しては、図２に示した上部の電圧印加部１５より電圧印加ケーブル４８が引き出され、電圧印加ケーブル４８は絶縁性材料からなるカバー４２を貫通してリング状誘導電極部４４に接続され、電圧を印加できるようにしている。
【００３０】
更に、立下り配管３４の先端と水側電極部４０との間には漏水防止弁４５が組み込まれている。漏水防止弁４５は図３（Ｃ）（Ｄ）に取り出して示すように、ゴム製の弁部材であり、円板状のゴム部材の中央にスリット４５ａを形成している。
【００３１】
漏水防止弁４５は冷房用水の噴霧時には、加圧された冷房用水の供給によりゴムが撓んで変形し、これによってスリット４５ａが開いて冷房用水を通す。一方、冷房用水の噴霧を停止した場合には、スリット４５ａが閉じ、これによって配管側に残っている冷房用水の水だれを防止する。
【００３２】
ここで、本実施形態の帯電噴霧ヘッド１０に使用している水側電極部４０及びリング状誘導電極部４４としては、導電性を有する金属以外に、導電性を有する樹脂、導電性を有するゴムであってもよく、更にこれらの組合せであってもよい。
【００３３】
帯電噴霧ヘッド１０から冷房用水を噴霧する際には、図２に示した電圧印加部１５が図１に示すシステム制御盤２０からの制御信号により動作し、水側電極部４０を０ボルトとなるアース側とし、リング状誘導電極部４４に対し０．３キロボルトから２０キロボルトの間にある所定の直流印加電圧を印加する。
【００３４】
このように水側電極部４０とリング状誘導電極部４４との間に例えば数キロボルトとなる電圧が加えられると、この電圧印加によって両電極間に外部電界が生じ、噴霧ノズル３８から冷房用水が噴射粒子に変換される噴射過程を通じて噴射粒子が帯電され、帯電された噴射粒子を外部に噴霧することができる。
【００３５】
次に図１の実施形態における監視動作を説明する。システム制御盤２０は例えばタイマにより設定した冷房起動時間への到達を判別すると、ドレン側の遠隔開閉弁２２ｄを閉制御すると共に遠隔開閉弁２２ａ〜２２ｃを開制御し、同時にポンプユニット１２を起動して水源からの冷房用水を配管１６に加圧供給する。
【００３６】
システム監視盤２０による起動はタイマによる時間設定以外に、管理者による手動操作、噴霧冷房エリアＡ，Ｂに設置している環境センサ１８からの気温、湿度、降雨、風速などの計測データから所定の起動条件が得られた場合の自動起動などであっても良い。
【００３７】
システム制御盤２０はポンプユニット２０の起動による冷房用水の加圧供給と同時に、図２に示す帯電噴霧ヘッド１０に設けている電圧印加部１５に対し起動信号を送り、この起動信号を受けて電圧印加部１５は、帯電噴霧ヘッド１０に対し例えば数キロボルトとなる直流印加電圧を供給する。
【００３８】
このため図３（Ａ）に示した帯電噴霧ヘッド１０にあっては、噴霧ノズル３８から加圧された冷房用水を噴射により噴射粒子に変換して噴霧する際に、アースケーブル５０が接続された水側電極部４０を０ボルトとして、電圧印加ケーブル４８が接続されたリング状誘導電極部４４側に数キロボルトの電圧が印加され、この電圧印加により生じた外部電界を、噴霧ノズル３８から噴射されてリング状誘導電極部４４の開口４４ａを通過する噴射過程にある冷房用水に印加し、噴射により変換された噴射粒子を帯電させて噴霧することができる。
【００３９】
図２に取り出して示すように、帯電噴霧ヘッド１０から噴霧冷房エリアＡに向けて噴霧された水粒子は、水粒子が帯電しているため、帯電によるクーロン力によりエリア内を通過する人の皮膚に効率良く付着し、皮膚に付着して蒸発する際に気化熱を奪うことで高い清涼感がえられる。
【００４０】
更に図３（Ａ）の帯電噴霧ヘッド１０にあっては、例えば水側電極部４０を０ボルトとし、リング状誘導電極部４４に対しプラスの直流電圧を印加した場合には、噴霧される水粒子はマイナスの電荷のみに帯電している。このようにマイナスの電荷のみに帯電した水粒子を噴霧した場合には、空間中で帯電した水粒子間には斥力が働き、これによって水粒子が衝突会合して成長落下する確率が小さくなり、空間中に滞留する水粒子の密度が高くなり、噴霧水混じりの見かけ上の空気の比重が帯電させないときより増加し、上方へと散逸する傾向を抑制することで、冷房効果が増加する。
【００４１】
更に、帯電噴霧ヘッド１０からの噴霧水をマイナス帯電させることで、いわゆる自然の滝で発生していると言われているレナード効果と同様の状態を作り出すことができ、清涼感を増加させることができる。
【００４２】
図４は円筒状誘導電極部を用いた帯電噴霧ヘッドの他の実施形態を示した説明図である。図４（Ａ）において、本実施形態の帯電噴霧ヘッド１０は、立下り配管３４の先端にヘッド本体３６をネジ止め固定し、ヘッド本体３６の内側に絶縁部材４１を介して水側電極部４０を配置し、ここに上部からアースケーブル５０を接続している。
【００４３】
水側電極部４０の下側には噴霧ノズル３８が配置され、噴霧ノズル３８はノズル本体（回転子）３８ａとノズルヘッド３８ｂで構成される。ノズルヘッド３８ｂの下部外側には固定部材４３を介して絶縁性材料を用いた円筒状のカバー５６が取り付けられる。カバー５６の下端の開口部には、ストッパリング５８のビス止め固定により内部に円筒状誘導電極部５２を配置している。
【００４４】
円筒状誘導電極部５２は、図４（Ｂ）に取り出して示す平面図のように、円筒体の内側に貫通穴５４を形成している。円筒状誘導電極部５２に対しては、絶縁性材料を用いたカバー５６を貫通して電圧印加ケーブル４８に接続することで、帯電のための印加電圧が供給される。
【００４５】
立下り配管３４の先端と水側電極部４０との間には、漏水防止弁４５が組み込まれ、漏水防止弁４５は図３（Ｃ）（Ｄ）に取り出して示したように、ゴム製の弁部材であり、円板状のゴム部材の中央にスリット４５ａを形成している。
【００４６】
この円筒状誘導電極部５２を用いた帯電噴霧ヘッド１０にあっても、噴霧ノズル３８から加圧された冷房用水を噴射して水粒子を噴霧する際に、水側電極部４０を０ボルトとして円筒状誘導電極部５２に例えば数キロボルトの電圧が印加され、これによって生ずる外部電界が形成される円筒状誘導電極部５２の貫通穴５４の空間を、噴霧ノズル３８から放射された水粒子が通過する噴射過程で帯電させ、帯電した水粒子を噴霧することができる。
【００４７】
図５は金網状誘導電極部を用いた帯電噴霧ヘッドの他の実施形態を示した説明図である。図５（Ａ）の帯電噴霧ヘッド１０にあっては、立下り配管３４の下部にヘッド本体３６をネジ止め固定し、その内部に絶縁部材４１を介して水側電極部４０を配置し、ここにアースケーブル５０を接続している。噴霧ノズル３８の下側には固定部材４３を介して絶縁性材料を用いたカバー６２が取り付けられ、カバー６２の内部の開口部に金網状誘導電極部６０を取り付けている。
【００４８】
金網状誘導電極部６０は図８（Ｂ）に取り出して示す平面形状を持ち、所定のメッシュを持った金属性の金網を使用している。カバー６２は絶縁性材料であり、バー６２を貫通して電圧印加ケーブル４８を接続することで、金網状誘導電極部６０に電圧を印加できるようにしている。
【００４９】
立下り配管３４の先端と水側電極部４０との間には、漏水防止弁４５が組み込まれ、漏水防止弁４５は図３（Ｃ）（Ｄ）に取り出して示したようにゴム製の弁部材であり、円板状のゴム部材の中央にスリット４５ａを形成している。
【００５０】
図５の実施形態にあっても、噴霧ノズル３８から冷房用水を噴射して水粒子に変換する際に、水側電極部４０を０ボルトとして金網状誘導電極部６０側に数キロボルトといった直流電圧を印加することで、噴霧ノズル３８からの噴射空間に外部電界を発生し、ここを通過する噴射粒子に金網６２の開口部を通過する際に帯電させて、帯電した水粒子を噴霧することができる。
【００５１】
図６は平行板誘導電極部を用いた帯電噴霧ヘッドの実施形態を示した説明図である。図６の帯電噴霧ヘッド１０にあっては、立下り配管３４の下部に噴霧ノズル６８をネジ止め固定している。この実施形態で、水側電極部は立下り配管３４そのものを使用しており、したがって立下り配管３４に対し接続リング６６を使用して、アースケーブル５０を直接接続している。
【００５２】
噴霧ノズル６８の下部には絶縁性材料を用いたリングホルダ７０がビス止め固定され、リングホルダ７０に対しては下側に片持ちで吊り下げた状態で一対の板状のホルダ７２ａ，７２ｂが平行配置されている。ホルダ７２ａ，７２ｂの内側の相対面には平行板誘導電極部７４ａ，７４ｂが固定されている。平行板誘導電極部７４ａ，７４ｂは、その下側から見た平面図は図６（Ｂ）に示すように平行配置されている。
【００５３】
ホルダ７２ａ，７２ｂは絶縁性材料であり、ここに電圧印加ケーブル４８を分岐部７６で分岐した分岐ケーブル４８ａ，４８ｂをそれぞれホルダ７２ａ，７２ｂを貫通させて平行板誘導電極部７４ａ，７４ｂに接続することで、数キロボルトといった印加電圧を加えるようにしている。
【００５４】
噴霧ノズル６８の上部と下部の間には、漏水防止弁４５が組み込まれ、漏水防止弁４５は図３（Ｃ）（Ｄ）に取り出して示したように、ゴム製の弁部材であり、円板状のゴム部材の中央にスリット４５ａを形成している。
【００５５】
この図６の帯電噴霧ヘッド１０にあっても、噴霧ノズル６８から冷房用水を噴射して噴射粒子として噴霧する際に、水側電極部となる立下り配管３４と先端側に平行配置された平行板誘導電極部７４ａ，７４ｂとの間に数キロボルトといった電圧を印加することで、平行板誘導電極部７４ａ，７４ｂに挟まれた空間に外部電界を発生し、この外部電界を噴霧ノズル６８から噴射された水粒子が通過する過程で噴射水粒子に帯電させ、帯電した水粒子を噴霧することができる。
【００５６】
図７は針状誘導電極部を用いた帯電噴霧ヘッドの他の実施形態を示した説明図である。図７（Ａ）の帯電噴霧ヘッド１０にあっては、水側電極部として使用する立下り配管３４の先端に噴霧ノズル６８をねじ込み固定し、立下り配管３４に対しては接続リング６６の取り付けでアースケーブル５０を電気的に接続している。
【００５７】
噴霧ノズル６８の先端側には、固定部材４３を介して絶縁性材料を用いたリングホルダ８０が取り付けられる。リングホルダ８０の下部には針状誘導電極部７８が取り付けられている。針状誘導電極部７８は逆Ｌ字型に屈曲し、先端を噴霧ノズル６８の開口部に向けて斜めに屈曲させた針形状を持ち、その下方から見た平面図は図７（Ｂ）のようになる。
【００５８】
リングホルダ８０に取り付けられた針状誘導電極部７８に対しては、電圧印加ケーブル４８が電気的に接続されている。
【００５９】
噴霧ノズル６８の上部と下部の間には、漏水防止弁４５が組み込まれ、漏水防止弁４５は図３（Ｃ）（Ｄ）に取り出して示すように、ゴム製の弁部材であり、円板状のゴム部材の中央にスリット４５ａを形成している。
【００６０】
この実施形態にあっても、噴霧ノズル６８から冷房用水を噴射して水粒子に変換して噴霧する際に、水側電極部として機能する立下り配管３４とノズル先端側に配置した針状誘導電極部７８との間に数キロボルトといった直流電圧を印加することで、ノズル開口部と針状誘導電極部７８の先端との間の空間に外部電界を発生し、ここを噴霧ノズル６８から噴射された水粒子に変換する噴射過程で噴射粒子が帯電され、帯電水粒子として噴霧することができる。
【００６１】
なお本実施形態で使用する帯電噴霧ヘッド１０としては、上記の実施形態に示したさまざまな構造を適用できるが、これに限定されず、適宜の構造の帯電噴霧ヘッドを使用することができる。
【００６２】
また上記の実施形態にあっては、帯電噴霧ヘッドに直流帯電電圧を印加する場合を例にとっているが、交流又はパルス状の帯電電圧を印加するようにしても良い。
【００６３】
また本発明はその目的と利点を損なうことのない適宜の変形を含み、更に上記の実施形態に示した数値による限定は受けない。
【符号の説明】
【００６４】
１０：帯電噴霧ヘッド
１２：ポンプユニット
１４：手動弁
１５：電圧印加部
１６：配管
１８：環境センサ
２０：システム制御盤
２２ａ〜２２ｄ：遠隔開閉弁
３２：自動弁
３４：立下り配管
３６：ヘッド本体
３８：噴霧ノズル
３８ａ：ノズル本体
３８ｂ：ノズルヘッド
４０：水側電極部
４１：絶縁部材
４２，５６，６２：カバー
４３：固定部材
４４：リング状誘導電極部
４５：漏水防止弁
４５ａ：スリット
４６，５８，６７４：ストッパリング
４８：電圧印加ケーブル
５０：アースケーブル
５２：円筒状誘導電極
５４：貫通穴
６０：金網状誘導電極部
６６：接続リング
７０，８０：リングホルダ
７２ａ，７２ｂ：ホルダ
７４ａ，７４ｂ：平行板誘導電極部
７６：分岐部
７８：針状誘導電極部
【図１】
0005676685.tif 000002
【図２】
0005676685.tif 000003
【図３】
0005676685.tif 000004
【図４】
0005676685.tif 000005
【図５】
0005676685.tif 000006
【図６】
0005676685.tif 000007
【図７】
0005676685.tif 000008